(57)【要約】【課題】 ガス、水道、電力等の使用量の検針結果をお知らせ票としてプリントするハンディターミナルのサーマプリンタでは、白紙の感熱紙の上にデータ記入のフォーマットとデータとを同時にプリントするようにしているために、プリント結果の位置関係を正確に制御することが難しく、現状では郵便振替専用払込書の規格である郵政振替私製基準の寸法精度を実現する事は非常に困難である。【解決手段】 本発明は、ハンディターミナルに復数個の異なったアイマークの検出機能を持たせて、郵便振替専用払込書の第１票用のアイマークと、第２票用のアイマークを設けたサーマルプリンタ用紙を使用して、第１票用のアイマークにより第１票のプリント位置を定めてプリントを行い、第２票用のアイマークにより第２票のプリント位置を定めてプリントを行なうようにしたハンディターミナルを実現することにより、郵政振替私製基準の寸法精度を満足する払込書を作成出来るようにしたものである。【選択図】              図１
2004243776.tif 000002
【特許請求の範囲】
【請求項１】
サーマルプリンタ用紙の裏面に設けら桁復数個の異なったアイマークを検出する機能を持ったアイマークを検出手段、
検針結果のお知らせと使用料金の請求を示した郵便振替専用振込用紙等の一連２票式の払込書等のプリントフォーマットの記憶されたプリントフォーマット記憶手段、
検針結果のデータを入力し保持する検針データ保持手段、
あらかじめ使用者の料金の支払いが銀行口座からの自動引落か振込による支払いかを示す料金の支払い形態のデータを保持するユーザーデータ保持手段、
ユーザーデータ保持手段のデータに基づいて検針時に振込による支払いを行なう使用者に対しては、検針結果のお知らせとともに、使用料金の請求を示した郵便振替専用払込書等の一連２票式の払込書のフォーマットをプリントフォーマット記憶手段より選択してこれに検針データ保持手段のデータを組み込んでプリントするようにデータの合成を行なうデータ合成処理手段とを具備し
白紙のサーマルプリンタ用紙の裏面に、プリント用紙の頭出しをするためのアイマークと、郵便振替専用払込書等の一連２票式の払込書の第１票用のアイマークと、第２票用のアイマークを設けた白紙のサーマルプリンタ用紙を使用し、
郵便振替専用払込書等の一連２票式の払込書をプリントする場合にはアイマーク検出手段が、第１票用のアイマークを検出した時にプリント用紙を停止させて用紙の位置合わせを行いデータ合成処理手段の第１票のプリントを行い、アイマーク検出手段が第２票用のアイマークを検出した時にプリント用紙を停止させて用紙の位置合わせを行いデータ合成処理手段
の第２票のプリント位置を定めてプリントを行ない、
アイマーク検出手段がプリント用紙の頭出しをするためのアイマークを検出した時にプリント用紙を停止させて次のプリントパターンをプリントするための用紙の頭だしの位置合わせを行う、
ようにした復数個の異なったアイマークの検出機能を持ったハンディターミナル。
【請求項２】
サーマルプリンタ用紙の裏面に設けら桁復数個の異なったアイマークを検出する機能を持ったアイマークを検出手段、
検針結果のお知らせ、使用料金の請求を示した郵便振替専用振込用紙等の一連２票式の払込書等のプリントフォーマットの記憶されたプリントフォーマット記憶手段、
検針結果のデータを入力し保持する検針データ保持手段、
使用者の料金の支払いが銀行口座からの自動引落による支払いか、込による支払いかを示した料金の支払い形態のデータとを保持するユーザーデータ保持手段、
ユーザーデータ保持手段のデータに基づいて振込による支払いの使用者に対しては、検針結果のお知らせとともに、使用料金の請求を示した郵便振替専用払込書等の一連２票式の払込書のフォーマットをプリントフォーマット記憶手段より選択してこれに検針データ保持手段のデータを組み込んでプリントするようにデータの合成を行なうデータ合成処理手段とを具備し
サーマルプリンタ用紙の裏面に、プリント用紙の頭出しをするためのアイマークと、郵便振替専用払込書等の一連２票式の払込書の第１票用のアイマークと、第２票用のアイマークを設けたサーマルプリンタ用紙を使用し、
検針結果のお知らせ票をプリントする場合は、お知らせ票をプリントした後に、アイマーク検出手段がプリント用紙の頭出しをするためのアイマークを検出した時にプリント用紙を停止させて次のプリントフォーマットの位置合わせを行い、
郵便振替専用払込書等の一連２票式の払込書をプリントする場合にはアイマーク検出手段が第１票用のアイマークを検出した時にプリント用紙を停止させて用紙の位置合わせを行いデータ合成処理手段の一連２票式の払込書の第１票のプリントを行い、アイマーク検出手段が第２票用のアイマークを検出した時にプリント用紙を停止させて用紙の位置合わせを行いデータ合成処理手段の一連２票式の払込書の第２票のプリントを行ない、
アイマーク検出手段がプリント用紙の頭出しをするためのアイマークを検出した時にプリント用紙を停止させて次のプリントパターンをプリントするための用紙の頭だしの位置合わせを行うよおにした復数個の異なったアイマークの検出機能を持ったハンディターミナル。
【請求項３】
サーマルプリンタ用紙の裏面に設けら桁復数個の異なったアイマークを検出する機能を持ったアイマークを検出手段、
ホストコンピュータとの間で、データのダウンロードとアップロードを行うデータ通信手段、
検針結果のお知らせ，使用料金の請求を示した郵便振替専用振込用紙等の一連２票式の払込書、料金の支払いの督促状などのプリントフォーマットの記憶されたプリントフォーマット記憶手段、
検針結果のデータを入力し保持する検針データ保持手段、
あらかじめ使用者の料金の支払いが銀行口座からの自動引落による支払いか、振込による支払いかを示す料金の支払い形態のデータと、用者の料金の支払いの状況を示すデータとを保持するユーザーデータ保持手段、
ユーザーデータ保持手段のデータに基づいて検針時に振込による支払いを行なう使用者に対しては、検針結果のお知らせとともに、使用料金の請求を示した振込用紙を、検針時に料金の支払いが遅れている使用者に対しては料金の支払いの督促状をプリントフォーマット記憶手段より選択してプリントするようにデータの合成を行なうデータ合成処理手段とを具備し、
サーマルプリンタ用紙の裏面に、プリント用紙の頭出しをするためのアイマークと、郵便振替専用払込書等の一連２票式の払込書の第１票用のアイマークと、第２票用のアイマークを設けたサーマルプリンタ用紙を使用し、
ホストコンピュータよりあらかじめ使用者の料金の支払いが銀行口座からの自動引落か振込による支払いかの支払い形態のデータと使用者の料金の支払いの状況を示すデータをデータ保持手段にダウンロードしておき、
検針結果のお知らせ票や料金の支払いの督促状をプリントする場合は、お知らせ票や料金の支払いの督促状をプリントした後に、アイマーク検出手段がプリント用紙の頭出しをするためのアイマークを検出した時にプリント用紙を停止させて次のプリントフォーマットの頭だしの位置合わせを行い、
郵便振替専用払込書等の一連２票式の払込書をプリントする場合にはアイマーク検出手段が第１票用のアイマークを検出した時にプリント用紙を停止させて用紙の位置合わせを行いデータ合成処理手段の一連２票式の払込書の第１票のプリントを行い、アイマーク検出手段が第２票用のアイマークを検出した時にプリント用紙を停止させて用紙の位置合わせを行いデータ合成処理手段の一連２票式の払込書の第２票のプリントを行ない、
アイマーク検出手段がプリント用紙の頭出しをするためのアイマークを検出した時にプリント用紙を停止させて次のプリントフォーマットの頭だしの位置合わせを行い、
検針業務を終了したハンディターミナルの各種の作業の結果のデータが保持されたデータ保持手段のデータをホストコンピュータにアップロードするようにした復数個の異なったアイマークの検出機能を持ったハンディターミナル。
【請求項４】
請求項１又は請求項２において、アイマーク検出手段は、サーマルプリンタ用紙に設けられた、プリント用紙の頭出しをするためのアイマークと、郵便振替専用払込書等の第１票用のアイマークと、第２票用のアイマークの識別を、アイマークの幅を測定することにより行うようにした復数個の異なったアイマークの検出機能を持ったハンディターミナル。
【請求項５】
請求項１乃至請求項３において、アイマーク検出手段は、サーマルプリンタ用紙に設けられた、郵便振替専用払込書等の第１票用のアイマークと、第２票用のアイマークの幅の中心を基準にして、郵便振替専用払込書等の第１票と第２票のプリントを行うようにした復数個の異なったアイマークの検出機能を持ったハンディターミナル。
【発明の詳細な説明】
【技術分野】
【０００１】
本発明はガス、水道、電力等の検針に使用されるハンディターミナルのサーマルプリンタを使用して、郵便振替専用払込書等の高い精度の要求されるプリントを行うことが出来るようにした復数個の異なったアイマークの検出機能を持ったハンディターミナルに関するものである。
【背景技術】
【０００２】
最近ガス、水道、電力等メータの検針にサーマルプリンタを使用したハンディターミナルが使用されている。このハンディターミナルはガス、水道、電力等の使用量を検針しその結果をお知らせ票として現場で印字し印字結果を切り離して使用者に渡するようにしている。
この場合、利用料金の自動引落の契約を行なっていない利用者に対しては、検針の結果のデータに基づいて、改めてガス、水道、電力等の供給会社より利用者に利用料金を請求する払込通知書や払込票が送られ、これにより利用者は料金の払込を行なうようにしているのが現在の状況である。自動引落の契約を行なっていない利用者に利用料金を請求する払込通知書や払込依頼書を送るための事務手続きは多くの時間と費用を必要とし、結果として利用料金のコスト増大の要因の一つとなっている。
【０００３】
【特許文献１】特開平０６−２１８９９７号公報，
【特許文献２】特開平０７−９７２８号公報，
【特許文献３】特開平０６−９９６３８号公報，
【特許文献４】特開平０５−１４７３１０号公報
【発明の開示】
【発明が解決しようとする課題】
【０００４】
このような問題を解決するためには、利用料金の自動引落の契約を行なっていない利用者に対しては、ガス、水道、電力等の使用量を検針しその結果を現場で印字する時に検針結果のお知らせ票と共に、支払料金の記入された払込用紙を添付した使用料金の請求書のプリントが行なえるようにすることが望ましい。現在、ガス、水道、電力等の料金の振込処理には、イメージ処理によるＯＣＲを使用した自動読み取り処理が普及しつつあり、郵便振替においても郵便振替専用払込書の規格である郵政振替私製基準が作成されている。
図７、図８、図９はそれぞれ郵政振替私製基準の払込取扱票と払込票の位置関係規格を示したものである。郵便振替専用払込書は、図７に示すような口座番号欄、金額欄、加入者名欄よりなる第１票の払込取扱票と、図８に示すような振込票兼受領書よりなる第２票の払込票とよりなり、払込取扱票と払込票との間にミシン目が入れられた構成になっており、その位置関係が図９に示すように厳しく規定されている。即ち、払込取扱票左辺ミシン目は、図７に示すように、口座番号欄の左辺縦線より４ｍｍ±０．３ｍｍ以内すること。又、同様に第２票の払込票の印字位置合わせ枠の位置も図９に示すように、口座番号右辺縦線は左辺ミシン目から５４．２６±１ｍｍ以内すること。
【０００５】
郵便振替専用払込書は、一連２票式郵便振替専用払込書でＯＣＲ読み取り装置によるデータ処理を前提としているために、払込票の２票の位置関係が正確であることが要求されている。このために、ＯＣＲ用紙等にあらかじめ規定の一連２票式郵便振替専用払込書のフォーマットの印刷を施し、そのフォーマットにデータを手で書き込んだり、もしくは熱転写、インクジェツト、レーザー記録方式にて書き込む事により入力処理がなされるようになっている。これに対し、ガス、水道、電力等の使用量の検針結果をお知らせ票としてプリントするハンディターミナルのサーマプリンタでは、印字打ち出し精度が悪く郵便振替専用払込書の規格である郵政振替私製基準の寸法精度を実現する事は非常に困難である。
このような問題を解決して、ハンディターミナル等のサーマルプリンタを使用して郵政振替私製基準の振込書寸法精度基準を満足する払込書を作成する事が求められている。
【課題を解決するための手段】
【０００６】
本発明は、ハンディターミナルのサーマルプリンタで一連２票式郵便振替専用払込書を作成するために、ハンディターミナルに復数個の異なったアイマークの検出機能を持たせて、郵便振替専用払込書の第１票用のアイマークと、第２票用のアイマークを設けたサーマルプリンタ用紙を使用して、第１票用のアイマークにより第１票のプリント位置を定めてプリントを行い、第２票用のアイマークにより第２票のプリント位置を定めてプリントを行なうようにした復数個の異なったアイマークの検出機能を持ったハンディターミナルを実現することにより、郵政振替私製基準の振込書寸法精度基準を満足する払込書を作成出来るようにしたものである。
【発明の効果】
【０００７】
本発明は、ハンディターミナルのサーマルプリンタで一連２票式郵便振替専用払込書を作成するために、ハンディターミナルに復数個の異なったアイマークの検出機能を持たせて、郵便振替専用払込書の第１票用のアイマークと、第２票用のアイマークを設けたサーマルプリンタ用紙を使用して、第１票用のアイマークにより第１票のプリント位置を定めてプリントを行い、第２票用のアイマークにより第２票のプリント位置を定めてプリントを行なうようにした復数個の異なったアイマークの検出機能を持ったハンディターミナルを実現することにより、郵政振替私製基準の払込書寸法精度基準を満足する払込書を作成出来るようにしたものである。
このために、利用者はその払込用紙を郵便局に持っていけば直ちに払込の手続きを行なうことができる。又、電気、ガス、水道等の供給業者は、口座振り替えの契約を行なっていない利用者に対して改めて、振り替え用紙を付けた請求書を送る手続きが不要になるため、非常に効率の良い集金業務を行なうことが可能になる。このように、利用者の料金支払形態に応じて、必要な様式の任意のプリントフォーマットを選定してプリントすることにより、効率の良い付加価値の高い検針業務を行なうことが出来る。
【発明を実施するための最良の形態】
【０００８】
本発明の、復数個の異なったアイマークの検出機能を持ったハンディターミナルは、検針結果のプリントだけでなく、口座振り替えの契約を行なっていないユーザーには使用料金の請求を示した払込用紙、領収書等の異なったパターンのプリントを選択的プリントして渡せるようにしている。このために、ハンディターミナルには検針結果のお知らせ票だけでなく、使用料金の請求を示した払込用紙、領収書等の異なったパターンをプリントするためのフォーマットがあらかじめ準備されており、ハンディターミナルの使用者の選択、又はあらかじめセットされた利用者のデータに基づいて、必要なフォーマットが選択され、選択されたフォーマットの中に検針結果のデータが挿入された形でプリントされる。
この場合、ユーザーに渡される払込票は、ＯＣＲ読み取り装置によるデータ処理にも対応出来るようにプリント位置が正確に規制された高精度のプリントを行うことが必要である。例えば、郵政振替私製基準の払込票は、図６〜図８に示すように一連２票式郵便振替専用払込書の各票の位置関係が厳格に規定されている。
【０００９】
図４は、本発明の復数個の異なったアイマークの検出機能を持ったハンディターミナルのサーマルプリンタによる郵便振替専用払込書等のプリントに使用されるプリンタ用紙の構成を示す説明図である。図４において、（ａ）は郵便振替専用払込書のプリントされるサーマルプリンタ用プリンタ用紙の表面を、（ｂ）はその裏面のアイマークを示す。
図４の（ａ）において、Ｐ１は郵便振替専用払込書の第１票目のプリントされる領域、Ｐ２は郵便振替専用払込書の第２票目のプリントされる領域である。領域Ｐ１と領域Ｐ２により一枚の郵便振替専用払込書のプリントパターンが形成される。Ｍは、プリント済みの郵便振替専用払込書を切り離し易くするために、プリントパターンの一枚ごとの境目に入れられているミシン目である。ｍは、プリント済みの郵便振替専用払込書の第１票目のデータのプリントされる領域Ｐ１と第２票目のデータのプリントされる領域Ｐ２の部分を切り離し易くするために、領域Ｐ１と領域Ｐ２の間に入れられているミシン目である。
【００１０】
図４の（ｂ）において、ｄｔ１，ｄｔ２はそれぞれプリント位置決めの為のアイマークである。アイマークｄｔ１，ｄｔ２は郵便振替専用払込書の第１票目のデータのプリントされる領域Ｐ１と第２票目のデータのプリントされる領域Ｐ２の位置決めの為のアイマークである。ｄｔ３は郵便振替専用払込書と、ガス、水道、電力等の使用量を示す積算メータの検針結果のお知らせ票をプリントするための用紙の頭出しに使用されるアイマークである。ハンディターミナルのサーマルプリンタは、郵便振替専用払込書のフォーマットとデータのプリントを行なう場合には、用紙を送り出していき、図４の（ｂ）のｄｔ１のプリント位置決めの為のアイマークを検出するとプリント用紙を停止させ、第１票目のデータのプリントされる領域Ｐ１のプリント位置決めを行ない、フォーマットとデータとを同時にプリントする。領域Ｐ１のプリント後に、サーマルプリンタは図４の（ｂ）のｄｔ２のプリント位置決めの為のアイマークを検出するとプリント用紙を停止させ、第２票目のデータのプリントされる領域Ｐ２のプリント位置決めを行ない、フォーマットとデータとを同時にプリントする。領域Ｐ２のプリント後に、サーマルプリンタは図４の（ｂ）のｄｔ３のアイマークを検出するとプリント用紙を停止させ、次のプリントパターンをプリントするための頭だしの位置決めを行なう。
【００１１】
このようにして、払込書の１票目の位置決めのためのアイマークｄｔ１により１票目のプリント位置を決め、又払込書の２票目の位置決めのためのアイマークｄｔ１をミシン目ｍの直後につけ、このアイマークｄｔ２を検出することにより２票目のプリント位置を決めることにより書き出し精度を上げることが出来る。
更に、次のプリントの頭出しを行うために払込書の後の位置にアイマークｄｔ３けて次のプリントに備えるようにしている。アイマークｄｔ１，ｄｔ２，ｄｔ３は、その幅を変えることによりハンディターミナルがマークの持つ機能を識別出来るようにしてある。具体的には、アイマークｄｔ１は幅２ｍｍ±０．１アイマークｄｔ２は幅５ｍｍ±０．１アイマークｄｔ３は幅３ｍｍ±０．１と設定することにより、その幅によりプリンタはアイマークの機能を識別出来る。
ハンディターミナルのサーマルプリンタによりプリントされる郵便振替専用払込書等の位置の精度は、サーマルプリンタのアイマークセンサーの検出精度にも影響される。
【００１２】
図５は、アイマークセンサーの信号とスライスレベルの関係を示した図である。図５において、Ｏ１，Ｏ２，Ｏ３はアイマークセンサーの検出信号を示し、ＳＬは信号のスライスレベルを示す。図５のＯ１，Ｏ２，Ｏ３に示すように、アイマークセンサーの検出信号の出力レベルは環境条件により変動する。このため、このようなレベルの変動する検出信号を一定のスライスレベルＳＬにより検出する従来のレベルスライス方式によるアイマークの検出では、アイマークセンサーの検出信号の出力レベルの変化により検出位置が変動するために正確な位置の検出が出来ない。
このため、本発明の復数個の異なったアイマークの検出機能を持ったハンディターミナルに使用するアイマークの検出方式は、アイマークの幅の中間を検出位置とするようにしている。具体的には、アイマークセンサーの検出信号の出力レベルがスライスレベルＳＬを越えている期間（アイマークＯＮ中の期間、即ちアイマークの幅）をカウントして、その１／２を検出位置とすることにより、アイマークセンサーの検出信号の出力レベルが変化しても、常に一定の位置が検出出来る。又、同時に、アイマークの幅を測定することにより、上記の図４のアイマークｄｔ１，ｄｔ２，ｄｔ３の持つ機能を識別することが出来る。
【００１３】
本発明の復数個の異なったアイマークの検出機能を持ったハンディターミナルの動作をプログラムのフローチャートの図１〜図３を使用して説明する。本発明の復数個のアイマークを持ったサーマルプリンタ用紙を使用するハンディターミナルでは、検針結果を知らせるお知らせ票のプリントと同時に、郵便振替専用払込書を添付した使用料金の請求書の異なったパターンのプリントを選択的に行なえるようにしている。
このために、ハンディターミナルには検針結果のプリントだけでなく、郵便振替専用払込書を添付した使用料金の請求書等の異なったパターンをプリントするためのプログラムのフォーマットがあらかじめ準備されており、ハンディターミナルの使用者の選択により、又はあらかじめ、セットされた利用者のデータに基ずいて、必要なフォーマットが選択され、選択されたフォーマットの中に検針結果のデータが挿入された形でプリントされる。図１は、本発明の復数個の異なったアイマークの検出機能を持ったハンディターミナルの準備作業を示すフローチャートである。ハンディターミナルを使用するための準備作業として、ガス、水道、電力等の供給会社のホストコンピュータより、そのハンディターミナルの使用者の担当する検針地域のユーザーのデータをハンディターミナルのメモリにダウンロードする。
【００１４】
この場合、従来は前月までの料金の銀行口座からの引落のデータだけが、ダウンロードされ、検針結果と共に、銀行口座からの引落を行なったユーザーに対しては、引落の領収書がプリントされ渡されていた。
本発明のハンディターミナルでは、ホストコンピュータよりダウンロードされるデータは、
１．       ユーザーの料金の支払いの形態（銀行口座からの引落の契約を行なっているか否か）
２．       ユーザーの料金の支払いの未払い料金はあるか、もしあれば何カ月支払いが行われていないか等のユーザーのデータがダウンロードされる。
このために、ホストコンピュータの原データより、ハンディターミナルのデータの抽出が行われる。ハンディターミナルデータの抽出は、ホストコンピュータの原データの、検針予定データ、支払い催促予定データ、払込票基本データの各データベースより、ハンディターミナルの使用者の担当する検針地域のユーザーのデータだけが抽出され、抽出されたデータがデータ合成処理され、検針予定者データが作成される。
【００１５】
この検針予定者データは、ホストコンピュータにより各ハンディターミナルの使用者の担当する検針地域毎に個別に作成される。
ホストコンピュータにより作成された、検針予定者データは検針の順番に並べられて、ハンディターミナルにダウンロードされる。これにより、ハンディターミナルの準備作業が終了し、検針処理作業開始の準備が整うことになる。
図２は、本発明のハンディターミナルの検針作業と領収書、請求書発行の作業のフローチャートを示したものである。検針処理作業開始の準備が整うと、検針作業者は、検針処理作業開始の状態にセットされたハンディターミナルを持って自分の担当区域の検針作業を開始する。検針に当たっては、ハンディターミナルが各ユーザーに対して入力されているデータに基づいて、検針作業を実行する必要があるか否かの判断を行い検針作業者に知らせる。ハンディターミナルが検針作業を実行する必要があると判断したユーザーに対しては、検針作業者は検針を行いその結果をハンディターミナルに入力する。
【００１６】
検針作業者は、検針結果の入力を行なった後に、ハンディターミナルのプリント開始のスタートボタンを押す。プリント開始のスタートボタンが押されると、プリンタは、ステータス要求コマンドを受信しプリンタがプリント可能の状態にあるか否かのチェックを行い、プリント可能の場合には、印字可ステータス応答送信とフォームオーバーレイ復元送信を行う。ハンディターミナルは印字可ステータス応答送信とフォームオーバーレイ復元送信に対応して、検針の結果に対して、プリントに必要なデータを得るための各種の計算処理を行なう。計算処理が終了すると、ハンディターミナルは利用者の支払い形態の検出を行なう。支払い形態の検出は、利用者がどのような形で料金の支払い方法を行なうか、即ち利用者が、銀行口座より自動引落の契約を行なっているかどうかを検出するものである。ハンディターミナルは、支払い形態が検出されると、これに合致したプリント情報の編集を行なう。
【００１７】
ハンディターミナルは、プリント情報の編集が行なわれると、プリント情報をプリントするための、適合レイアウトの選定を行なう。適合レイアウトの選定では、利用者の料金の支払い形態に合わせたプリントフォーマットの設定が行なわれる。プリントフォーマットは、支払い形態により異なっているので、利用者の料金の支払い形態に合わせたプリントフォーマットが選定される。あらかじめ利用者の料金の支払い方法のデータがハンディターミナルのメモリに入力されているので、ハンディターミナルはユーザーの料金の支払い方法をチェツクして自動的にプリントフォーマットの種類設定を行う。プリント情報の編集と適合レイアウトの選定が終わると、ハンディターミナルはプリント情報と適合レイアウトの情報を同時に印字発行データとしてプリンタに供給し、プリンタはこれら二つの情報を編集してプリントの準備を行なう。編集の結果として、利用者の料金の支払い形態に合わせたフォーマットに、検針結果のデータの組み合わされた情報のプリントフォーマットを得ることが出来る。
【００１８】
図３は、本発明のハンディターミナルの出力情報のプリント作業のフローチャートを示したものである。ユーザーが口座振り替えの契約を行なっている場合には、料金は銀行口座より自動引落が行われ自分で料金の払込手続きを行なう必要が無いので、払込票の発行は不要である。出力情報は検針の結果が判れば良いのでプリント位置が正確に規制されたプリントを行う必要はないので、高精度印刷を行わない（ＮＯ）従来の方法でプリントを行う。この場合のこのお知らせ票のプリントはその位置が多少ずれても問題は無く、プリントの位置は、前回のプリント終了時に図４の（ｂ）のｄｔ３のアイマークを検出して、プリント用紙の頭出しが行われている位置にプリントが行われる。
このお知らせ票のプリントが終了した後、次のプリントのための頭出しのアイマークＩＭ３の検知を行い、ＩＭ３が検出された場合にはプリントが正常に行われたものと判断し、次の検針結果のプリントのための頭出しを行い作業を終了する。
【００１９】
尚、ＩＭ３が検出され無かった場合には、指定長フィールドを越えてプリントが行われた誤動作と判断し、再度プリントの操作を行う。
口座振り替えの契約を行なってない利用者の料金は、自分で払込を行なうことが必要である。このために、ハンディターミナルには、お知らせ票のプリントの後に、郵便振替専用払込書等をプリントするように構成されており、郵便振替専用払込書がセットされた情報のプリントフォーマットが準備されている。郵便振替専用払込書の払込票はＯＣＲ読み取り装置によるデータ処理にも対応出来るようにプリント位置が正確に規制された高精度のプリントを行う、高精度印刷を行う（ＹＥＳ）が選択される。
高精度のプリントはプリンタの位置精度を補正するために、図１の（ｂ）のｄｔ１，ｄｔ２の２個のアイマークを使用して行うようにしている。
【００２０】
図６にプリンタのメモリマップ上の郵便振替専用払込書のフォーマットのデータの状態を示す。図４（ａ）に示した郵便振替専用払込書の第１票Ｐ１のデータは、メモリの１ドット目から９６０ドットに配置されている。図４（ａ）に示した郵便振替専用払込書の第２票Ｐ２のデータは、メモリの９６９ドット目から１４０８ドットに配置されており、第１票Ｐ１のデータと第２票Ｐ２のデータとの間には、９６１ドット目から９６８ドットまでの８ドット（印字ピッチで１ｍｍ分）の予備領域が設けられている。この予備領域は、第２票Ｐ２のデータの印字開始位置の調整に使用される。ハンディターミナルが、郵便振替専用払込書のプリントを行う場合には、用紙が送られハンディターミナルが、図４の（ｂ）のｄｔ１のプリント位置決めの為のアイマークを検出するとプリント用紙を停止させ、第１票目のデータのプリントされる領域Ｐ１のプリント位置決めを行ない、図６のメモリマップ上の１ドット目から９６０ドットに設定されているフォーマットとデータとを同時にプリントする。
【００２１】
尚、図４の（ｂ）のｄｔ１のプリント位置決めの為のアイマークが検出されない場合（ＮＧ）には、頭出しの位置が正しくされていなかったと判断し第１票目のデータのプリントは中止され、図４の（ｂ）のｄｔ３ののアイマークを検出まだ用紙が送られ、次のプリントの頭出しが行われる。領域Ｐ１のプリントの次に、ハンディターミナルが図４の（ｂ）のｄｔ２のプリント位置決めの為のアイマークを検出するとプリント用紙を停止させ、第２票目のデータのプリントされる領域Ｐ２のプリント位置決めを行なう。この場合、第１票目のデータのプリントの結果に応じて、メモリマップ上の予備領域を使用して、第２票Ｐ２のデータの印字開始位置の調整が行なわれる。
尚、第１票目のデータのプリントが図４の（ｂ）のｄｔ２のプリント位置決めの為のアイマークを越えてプリントされた場合には、ｄｔ２が検出されないので第２票目のデータのプリントは中止され（ＮＧ）、図４の（ｂ）のｄｔ３のアイマークを検出まだ用紙が送られ、次のプリントの頭出しが行われる。
【００２２】
第２票Ｐ２の印字開始位置が決まると、図６のメモリマップ上の９６９ドット目から１４０８ドットに設定されているフォーマットとデータとを同時にプリントする。このようにして、ｄｔ１，ｄｔ２の２個のアイマークを使用することにより郵便振替専用払込書の第１票目と第２票目とが規格に合った位置にプリントされた払込用紙をプリントアウトすることができる。第２票目のプリントが終わると、図４の（ｂ）のｄｔ３ののアイマークを検出まだ用紙が送られ、次のプリントの頭出しが行われる。
尚、第２票目のプリントが図４の（ｂ）のｄｔ３の頭出しの為のアイマークを越えてプリントされた場合には、ｄｔ３が検出されないので第２票目のデータのプリントが正常に行われなかったものと判断し、最初からプリントをやり直す。ユーザーが郵便局以外の払込先より払込を行なうことを選択している場合には、ハンディターミナルは銀行やコンビニエンスストアで使用出来る払込票のプリントフォーマットの払込票に設定し高精度プリントを行なう。以上の作業により一つのユーザーの検針作業が終了する。一つのユーザーの検針作業が終了するとハンディターミナルは、次のユーザーのデータを示し検針作業者に次のユーザーの検針業務を行なわせる。このようにして、順次ユーザーの検針を行い、ハンディターミナルのメモリに入力されていた全てのユーザーの検針作業を終えるとその日の検針作業が終了する。
【００２３】
図１０は、本発明の復数個の異なったアイマークの検出機能を持ったハンディターミナルにより作成された郵便振替専用払込書（実施例）と、従来の１個のアイマークを使用するサーマルプリンタにより作成された郵便振替専用払込書（比較例）との精度の比較を示したものである。図１０より明らかなように、同一の位置決め精度のサーマルプリンタを使用しても、本発明により郵便振替専用払込書の規格を充分に満足するプリントを行うことが可能になった。本発明により、口座振り替えの契約を行なっていない利用者に対しては、検針結果の使用量とこれに対する利用利用金をプリントした、お知らせ票と共に、郵便振替専用払込書に払込に必要なデータのプリントされた払込用紙の組み合わされたプリントフォーマットを発行することが可能にになる。お知らせ票と共に、払込に必要なデータのプリントされた郵便振替専用払込書を渡された利用者は、その郵便振替専用払込書を郵便局に持って行くことにより直ちに払込の手続きを行なうことができる。
又、電気、ガス、水道等の供給業者は、口座振り替えの契約を行なっていない利用者に対して改めて、振り替え用紙を付けた請求書を送る手続きが不要になるため、非常に効率の良い集金業務を行なうことが可能になる。
【産業上の利用可能性】
【００２４】
本発明は、電気、水道、ガス等の検針集金を行う産業で利用可能である。
【図面の簡単な説明】
【００２５】
【図１】本発明の復数個の異なったアイマークの検出機能を持ったハンディターミナルの準備作業を示すフローチャートである。
【図２】本発明のハンディターミナルの検針作業と領収書、請求書発行の作業のフローチャートを示したものである。
【図３】本発明のハンディターミナルの出力情報のプリント作業のフローチャートを示したものである。
【図４】本発明の復数個の異なったアイマークの検出機能を持ったハンディターミナルのサーマルプリンタによる郵便振替専用払込書等のプリントに使用されるプリンタ用紙の構成を示す説明図である。
【図５】アイマークセンサーの信号とスライスレベルの関係を示した図である。
【図６】プリンタのメモリマップ上の郵便振替専用払込書のフォーマットのデータの状態を示したものである。
【図７】郵政振替私製基準の払込取扱票の規格を示したものである。
【図８】郵政振替私製基準の払込票の規格を示したものである。
【図９】郵政振替私製基準の払込取扱票と払込票の位置関係規格を示したものである。
【図１０】本発明のサーマルプリンタにより作成された郵便振替専用払込書（実施例）と、従来の１個のアイマークを使用する同一の位置決め精度のサーマルプリンタにより作成された郵便振替専用払込書（比較例）との精度の比較を示したものである。
【符号の説明】
【００２６】
Ｐ１・・・郵便振替専用払込書の第１票目のプリントされる領域，
Ｐ２・・・郵便振替専用払込書の第２票目のプリントされる領域，
Ｍ・・・プリント済みの郵便振替専用払込書を切り離し易くするミシン目，
ｍ・・・プリント済みの郵便振替専用払込書の第１票目のデータのプリントされる
領域Ｐ１と第２票目のデータのプリントされる領域Ｐ２の部分を切り離し易くする
ためのミシン目，
ｄｔ１・・・郵便振替専用払込書の第１票目のデータのプリントされる領域Ｐ１の
プリント位置決めの為のアイマーク，
ｄｔ２・・・郵便振替専用払込書の第２票目のデータのプリントされる領域Ｐ２の
プリント位置決めの為のアイマーク，
ｄｔ３・・・郵便振替専用払込書の頭出しと、ガス、水道、電力等の使用量を示す
積算メータの検針結果のお知らせ票をプリントするための位置決めに使用されるア
イマーク，
Ｏ１，Ｏ２，Ｏ３・・・アイマークセンサーの検出信号，
ＳＬ・・・信号のスライスレベル
【図１】
2004243776.tif 000003
【図２】
2004243776.tif 000004
【図３】
2004243776.tif 000005
【図４】
2004243776.tif 000006
【図５】
2004243776.tif 000007
【図６】
2004243776.tif 000008
【図７】
2004243776.tif 000009
【図８】
2004243776.tif 000010
【図９】
2004243776.tif 000011
【図１０】
2004243776.tif 000012